(57)【要約】【課題】浴室側から透明間仕切り壁の枠が見えず見栄えが良く、連結のための部材点数が少なくコストの低減が図られる浴室ユニットの透明間仕切り壁と壁パネルとの連結構造を提供する。【解決手段】床部と壁部と天井部とが組み合わされてなる浴室ユニットの壁部を構成する透明間仕切り壁２と壁パネル１との連結構造である。壁パネル１は、平板状をした基材板１１の側辺部の浴室７側と反対側の面に、壁パネル用フレーム１２が接着材１４により接着されて構成される。透明間仕切り壁２は、透明板２１の側辺部の浴室７側と反対側の面に、間仕切り壁用フレーム２２が接着材２４により接着されて構成される。間仕切り壁用フレーム２２と壁パネル用フレーム１２とが連結部材４１により連結される。【選択図】図１
2013237977.tif 000002
【特許請求の範囲】
【請求項１】
床部と壁部と天井部とが組み合わされてなる浴室ユニットの前記壁部を構成する透明間仕切り壁と壁パネルとの連結構造であって、前記透明間仕切り壁は、透明板の側辺部の浴室側と反対側の面に、前記面に取付けられる平面部を有する間仕切り壁用フレームが接着材により接着されて構成され、前記壁パネルは、平板状をした基材板の側辺部の浴室側と反対側の面に、前記面に取付けられる平面部を有する壁パネル用フレームが接着材により接着されて構成され、前記間仕切り壁用フレームと前記壁パネル用フレームとが連結部材により連結されることを特徴とする浴室ユニットの透明間仕切り壁と壁パネルとの連結構造。
【発明の詳細な説明】
【技術分野】
【０００１】
本発明は、浴室ユニットの透明間仕切り壁と壁パネルとの連結構造に関するものである。
【背景技術】
【０００２】
浴室ユニットは、床パン等の床部に壁パネル等の壁部が設置され、壁部上に天井パネル等の天井部が設置されて組み立てられる。
【０００３】
壁部としては、鋼板を主体とする壁パネルや、ドア枠にドアが取り付けられてなるドア部や、透明板を備えた透明間仕切り壁が設けられる。壁パネルやドア部や透明間仕切り壁は、適宜隣接するように組み合わされている（例えば特許文献１参照）。壁パネルは、裏面に断熱材が貼着された鋼板等からなり左右の側端部が折り返された板部と、板部の側端部に設けられるスペーサと、スペーサおよび板部の側端部の折り返し部を挟むように取り付けられるジョイナーと、を備えている（例えば特許文献２参照）。透明間仕切り壁は、透明板の少なくとも左右の側辺部に枠が取り付けられて構成される（例えば特許文献３参照）。
【先行技術文献】
【特許文献】
【０００４】
【特許文献１】特開２０１０−１７１６号公報（［０００７］、図１）
【特許文献２】特開２００９−１７４２６９号公報（［０００３］、図３、図４）
【特許文献３】特開平９−１１２０５５号公報（［００１７］、図５、図６）
【発明の概要】
【発明が解決しようとする課題】
【０００５】
透明間仕切り壁が隣接する壁パネルに接続される場合、図２に示すように、透明間仕切り壁２の透明板２１を挟持する枠２７と、壁パネル１０の板部１６の側端部の折り返し部１７に設けられるスペーサ１８およびジョイナー１９とに貫通するように、ボルトからなる連結部材４１が挿通され、連結部材４１により締結されるものであった。なお、図２中の符号３はドア部、３１はドア枠、７は浴室、８は脱衣室を示す。
【０００６】
この従来例の連結構造においては、透明板２１の左右の側辺部に取り付けられる枠２７が利用されており、枠２７は透明板２１の前後を挟持するものであるため、浴室７側から枠２７が見えて見栄えが悪いものであった。また、壁パネル１０のスペーサ１８およびジョイナー１９とに貫通するように連結部材４１が設けられて締結されていて、スペーサ１８およびジョイナー１９が利用されるものであるため、これらの部材が必須であり、部材点数が多くまたコストも高いものであった。
【０００７】
本発明は上記従来の問題点に鑑みて発明したものであって、その目的とするところは、浴室側から透明間仕切り壁の枠が見えず見栄えが良く、連結のための部材点数が少なくコストの低減が図られる浴室ユニットの透明間仕切り壁と壁パネルとの連結構造を提供することを課題とするものである。
【課題を解決するための手段】
【０００８】
上記課題を解決するために、本発明は、以下のような構成とする。
【０００９】
床部と壁部と天井部とが組み合わされてなる浴室ユニットの前記壁部を構成する透明間仕切り壁と壁パネルとの連結構造であって、前記透明間仕切り壁は、透明板の側辺部の浴室側と反対側の面に、前記面に取付けられる平面部を有する間仕切り壁用フレームが接着材により接着されて構成され、前記壁パネルは、平板状をした基材板の側辺部の浴室側と反対側の面に、前記面に取付けられる平面部を有する壁パネル用フレームが接着材により接着されて構成され、前記間仕切り壁用フレームと前記壁パネル用フレームとが連結部材により連結されることを特徴とする。
【発明の効果】
【００１０】
本発明の浴室ユニットの透明間仕切り壁と壁パネルとの連結構造は、浴室側から透明間仕切り壁の枠が見えず見栄えが良く、また、連結のための部材点数が少なくコストの低減が図られるものである。
【図面の簡単な説明】
【００１１】
【図１】本発明の一実施形態の要部水平断面図である。
【図２】従来例の要部水平断面図である。
【発明を実施するための形態】
【００１２】
以下、本発明の一実施形態について図１に基いて説明する。
【００１３】
浴室ユニットは、床パン等の床部に壁パネル１等の壁部が設置され、壁部上に天井パネル等の天井部が設置されて組み立てられて構成される。壁部として、壁パネル１、透明間仕切り壁２、ドア枠３１にドア（不図示）が取り付けられてなるドア部３が設けられる。図１中の符号７は浴室、符号８は脱衣室を示すが、符号８は脱衣室に限定されない。
【００１４】
壁パネル１は、基材板１１と壁パネル用フレーム１２とで構成される。基材板１１は平板状をしたもので、本実施形態では正面視略矩形状をした所謂ネオセライトパネルが用いられるが、所謂ネオセライトパネルでなくてもよく、材質は特に限定されない。壁パネル用フレーム１２は、基材板１１の側辺部の浴室７側と反対側の面に取付けられる平面部１３を有するものである。本実施形態では、鋼板等の金属製の板材が折曲されてなる、平面視略矩形状をしたもので、両端部が平面部１３と反対側の面の途中で内側に折り返されている。
【００１５】
基材板１１の側辺部の浴室７側と反対側の面に平面部１３が接着材１４により接着されることで、壁パネル用フレーム１２が基材板１１に固定され、壁パネル１が構成される。接着材１４としては、ホットメルト系の接着材と、シリコン系の接着材とが用いられるが、特に限定されない。
【００１６】
透明間仕切り壁２は、透明板２１と間仕切り壁用フレーム２２とで構成される。透明板２１は平板状をしたもので、本実施形態では正面視略矩形状をした強化ガラスが用いられるが、強化ガラスでなくてもよく、アクリル等、材質は特に限定されない。間仕切り壁用フレーム２２は、透明板２１の側辺部の浴室７側と反対側の面に取付けられる平面部２３を有するものである。本実施形態では、壁パネル用フレーム１２と同様に、鋼板等の金属製の板材が折曲されてなる、平面視略矩形状をしたもので、両端部が平面部２３と反対側の面の途中で内側に折り返されている。
【００１７】
透明板２１の側辺部の浴室７側と反対側の面に平面部２３が接着材２４により接着されることで、間仕切り壁用フレーム２２が透明板２１に固定され、透明間仕切り壁２が構成される。接着材２４としては、ホットメルト系の接着材と、シリコン系の接着材とが用いられるが、特に限定されない。
【００１８】
間仕切り壁用フレーム２２と壁パネル用フレーム１２とは、連結部材４１により連結される。連結部材４１は、本実施形態ではボルトからなるが、ボルト・ナットや、リベット、溶接等、他の手段であってもよい。間仕切り壁用フレーム２２と壁パネル用フレーム１２には、平面部１３、２３に隣接する面を貫通するように、連結部材４１が挿通される挿通孔２５または１５がそれぞれ形成されている。間仕切り壁用フレーム２２と壁パネル用フレーム１２の一方の挿通孔２５または１５は連結部材４１のボルトが螺合するねじ孔となっており、他方の挿通孔１５または２５が所謂ばか孔となっている。そして、ばか孔である他方の挿通孔１５または２５よりボルトからなる連結部材４１が挿通され、ねじ孔である一方の挿通孔２５または１５に螺合して、間仕切り壁用フレーム２２と壁パネル用フレーム１２とが締結される。
【００１９】
また、本実施形態では、透明間仕切り壁２の壁パネル１と反対側には、ドア部３が隣接している。間仕切り壁用フレーム２２の壁パネル１と反対側の面にボルトからなる連結部材４２が螺合するねじ孔２６が形成されている。そして、ドア枠３１に形成された挿通孔３２よりボルトからなる連結部材４２が挿通され、ねじ孔２６に螺合して、間仕切り壁用フレーム２２とドア枠３１とが締結される。
【００２０】
間仕切り壁用フレーム２２には脱衣室側化粧枠５が設けられ、脱衣室側化粧枠５に、ビス止めや接着等により脱衣室側化粧板６が接続される。脱衣室側化粧板６により、透明間仕切り壁２と壁パネル１の連結部（間仕切り壁用フレーム２２、壁パネル用フレーム１２、連結部材４１）が脱衣室８側から見えず、見栄えが悪くなるのが抑えられる。
【００２１】
上記のような構成にあっては、透明間仕切り壁２は、透明板２１の側辺部の浴室７側と反対側の面が間仕切り壁用フレーム２２に接着により固定されている。このため、従来のような透明板２１を挟持する枠２７が不要であり、浴室７側から透明間仕切り壁２の枠２７が見えず見栄えが良いものである。なお、透明板２１を介して接着材２４が見えて、見栄えが悪くなる惧れがある場合には、接着材２４と透明板２１との間に遮光性の隠蔽材（不図示）を施すことで、接着材２４が見えるのが防止される。
【００２２】
また、従来のようなスペーサ１８およびジョイナー１９が不要となるため、部材点数が少なくなり、これらの部材のコストの削減が可能となる。
【符号の説明】
【００２３】
１    壁パネル
１１  基材板
１２  壁パネル用フレーム
１３  平面部
１４  接着材
１５  挿通孔
２    透明間仕切り壁
２１  透明板
２２  間仕切り壁用フレーム
２３  平面部
２４  接着材
２５  挿通孔
２６  ねじ孔
３    ドア部
３１  ドア枠
３２  挿通孔
４１  連結部材
４２  連結部材
５    脱衣室側化粧枠
６    脱衣室側化粧板
７    浴室
８    脱衣室
【図１】
2013237977.tif 000003
【図２】
2013237977.tif 000004